(57)【要約】【課題】天板に少なくとも二本の足を直列的に連結接続して形成した脚部を脱着自在に取付け、高／低の高さに継手式に調節することができるシンプルなテーブル脚の取付構造を提供する。【解決手段】裏面四隅に脚取付用穴部を垂直に形成した天板と、該天板の穴部に着脱自在に挿着される脚部とを有し、脚取付用穴部に隣接して穴の長手方向に延びる案内溝を形成し、該案内溝の一側を脚取付用穴部に開放するとともに、天板の裏面から外方に開放し、前記脚部は、脚取付用穴部に挿入される前記先端部に弾力的に外方へ突出する弾性係止体を有するとともに弾性係止体よりも下部をく字状に屈曲してなり、弾性係止体を案内溝に係入しつつ脚部を脚取付用穴部に挿着して、４本の脚部が外方に拡開するように天板に取付けたことを特徴とする。【選択図】　　　　図３
2004121679.tif 000002
【特許請求の範囲】
【請求項１】
裏面四隅に脚取付用穴部を垂直に形成した天板と、該天板の穴部に着脱自在に挿着される脚部とを有し、脚取付用穴部に隣接して穴の長手方向に延びる案内溝を形成し、該案内溝の一側を脚取付用穴部に開放するとともに、天板の裏面から外方に開放し、前記脚部は、脚取付用穴部に挿入される前記先端部に弾力的に外方へ突出する弾性係止体を有するとともに弾性係止体よりも下部をく字状に屈曲してなり、弾性係止体を案内溝に係入しつつ脚部を脚取付用穴部に挿着して、４本の脚部が外方に拡開するように天板に取付けたことを特徴とするテーブル脚の取付構造。
【請求項２】
前記弾性係止体は略Ｕ字状に屈曲されたバネ線材からなり、脚部内においてその対向する内壁面に弾力的に圧接すると共に、弾性係止体の突設部が脚部の長孔から外方に突出するようにしたことを特徴とする請求項１記載のテーブル脚の取付構造。
【請求項３】
前記脚部本体は上部用脚と下部用脚の二つの脚部に分離されており、テーブルの高さを低くする場合は、上部用脚のみを取付け、またテーブルの高さを高くする場合は上部用脚の下端部に下部用脚の上端部を挿入することで、テーブルの高さを段階的に調節できるようにしたことを特徴とする請求項１又は２のいずれかに記載のテーブル脚の取付構造。
【請求項４】
前記上部用脚の下端部に前記下部用脚の上端部を挿入し係止する手段が、下部用脚の差し込み係止部に設けられ、該差し込み係止部に突設したバネ部材で前記上部用脚の下端部内周壁を圧接保持しつつ連結接続するようにしたことを特徴とする請求項１乃至３のいずれかに記載のテーブル脚の取付構造。
【請求項５】
前記脚取付用穴部の上から該脚取付用穴部の断面と略同一形状を有した金属板からなる取付板を対応させて取付けたことを特徴とする請求項１記載のテーブル脚の取付構造。
【請求項６】
前記上部用脚と前記下部用脚との間に、両端に前記差し込み係止部を有したパイプ部材を追加挿入することで、脚長をさらに長くすることができるようにしたことを特徴とする請求項１又は２のいずれかに記載のテーブル脚の取付構造。
【発明の詳細な説明】
【０００１】
【発明の属する技術分野】
本発明は、主として携帯して屋外で使用される折り畳み式テーブル等の天板へ脚を取付ける取付構造であって、さらに、詳細には脚の長さを継手式で調節すべく脚を天板へ取付ける取付け構造に関する。
【０００２】
【従来の技術】
従来のこの種の携帯用テーブルとしては、中央部で折り畳み可能に連結された二つの卓部によって折り畳み式テーブルを構成し、該卓部を支持するための着脱可能で伸縮自在な複数の脚部を有した携帯用テーブルが知られている（例えば、特許文献１参照。）。このような折り畳み式携帯用テーブルは主として屋外で使用するが、屋内でも使用することができる。例えば、各脚部を伸縮自在に調整することにより、テーブルを椅子代わりに使用することもでき、また、畳の上や敷物の上または床の上に直接座して屋内用テーブルとしても使用することができる。更に、屋外での使用時においては、脚の長さを伸ばすことによってテーブルを安定させた状態で使用することができる。
【０００３】
【特許文献１】
登録実用新案第３０２５６４４号公報（第１−９頁、第２図、第５図、第６図、第９図）
【０００４】
【発明が解決しようとする課題】
しかしながら、このような従来の折り畳み式携帯用テーブルにあっては、脚をテーブルの天板へ取付ける構造と伸縮自在に調整することができる脚の構造が複雑であったために折り畳み式携帯用テーブルとしての製品価格が高価となっていた。
【０００５】
【課題を解決するための手段】
上記問題を解決するためにこの発明が採った手段は、裏面四隅に脚取付用穴部を垂直に形成した天板と、該天板の穴部に着脱自在に挿着される脚部とを有し、脚取付用穴部に隣接して穴の長手方向に延びる案内溝を形成し、該案内溝の一側を脚取付用穴部に開放するとともに、天板の裏面から外方に開放し、前記脚部は、脚取付用穴部に挿入される前記先端部に弾力的に外方へ突出する弾性係止体を有するとともに弾性係止体よりも下部をく字状に屈曲してなり、弾性係止体を案内溝に係入しつつ脚部を脚取付用穴部に挿着して、４本の脚部が外方に拡開するように天板に取付けたことを特徴とする。
【０００６】
そして、前記弾性係止体は略Ｕ字状に屈曲されたバネ線材からなり、脚部内においてその対向する内壁面に弾力的に圧接すると共に、弾性係止体の突設部が脚部の長孔から外方に突出するようにしたことを特徴とする。
【０００７】
また、前記脚部本体は上部用脚と下部用脚の二つの脚部に分離されており、テーブルの高さを低くする場合は、上部用脚のみを取付け、またテーブルの高さを高くする場合は上部用脚の下端部に下部用脚の上端部を挿入することで、テーブルの高さを段階的に調節できるようにしたことを特徴とする。
【０００８】
そして、前記上部用脚の下端部に前記下部用脚の上端部を挿入し係止する手段が、下部用脚の差し込み係止部に設けられ、該差し込み係止部に突設したバネ部材で前記上部用脚の下端部内周壁を圧接保持しつつ連結接続するようにしたことを特徴とする。
【０００９】
そして、前記脚取付用穴部の上から該脚取付用穴部の断面と略同一形状を有した金属板からなる取付板を対応させて取付けたことを特徴とする。
【００１０】
また、前記上部用脚と前記下部用脚との間に、両端に前記差し込み係止部を有したパイプ部材を追加挿入することで、脚長をさらに長くすることができるようにしたことを特徴とする。
【００１１】
【発明の実施の形態】
この発明の好ましい実施の形態を、以下に詳細に説明する。このテーブル脚の取付構造は、裏面四隅に脚取付用穴部を垂直に形成した天板と、該天板の穴部に着脱自在に挿着される脚部とを有し、脚取付用穴部に隣接して穴の長手方向に延びる案内溝を形成し、該案内溝の一側を脚取付用穴部に開放するとともに、天板の裏面から外方に開放し、前記脚部は、脚取付用穴部に挿入される前記先端部に弾力的に外方へ突出する弾性係止体を有するとともに弾性係止体よりも下部をく字状に屈曲してなり、弾性係止体を案内溝に係入しつつ脚部を脚取付用穴部に挿着して、４本の脚部が外方に拡開するように天板に取付けた構造となっている。
【００１２】
また、前記弾性係止体は略Ｕ字状に屈曲されたバネ線材からなり、脚部内においてその対向する内壁面に弾力的に圧接するとともに、弾性係止体の突設部が脚部の長孔から外方に突出する構造になっている。
【００１３】
また、前記脚部本体は上部用脚と下部用脚の二つに分離されており、テーブルの高さを低くする場合は、上部用脚のみを取付け、またテーブルの高さを高くする場合は上部用脚の下端部に下部用脚の上端部を挿入することで、テーブルの高さを段階的に調節できるようになっている。
【００１４】
また、前記上部用脚の下端部に前記下部用脚の上端部を挿入し係止する手段が、下部用脚の差し込み係止部に設けられ、該差し込み係止部に突設したバネ部材で前記上部用脚の下端部内周壁を圧接保持することで、直列的に連結接続ができるようなっている。
【００１５】
また、前記脚取付用穴部の上から該脚取付用穴部の断面と略同一形状を有した金属板からなる取付板を対応させて取付けるようになっている。
【００１６】
また、前記上部用脚と前記下部用脚との間に、両端に前記差し込み係止部を有したパイプ部材を追加挿入することで、脚長をさらに長くすることができるようになっている。
【００１７】
【実施例】
以下、本発明の一実施例について、図面を参照して説明すると、図１は本発明に係る折り畳み式携帯用テーブルの一実施例を示し、テーブルの状態にした斜視図であり、図２は本発明に係る脚を取付ける取付板を固定する方法を示した分解斜視図であり、図３は本発明に係る取付脚をテーブルの天板に取付けた状態を示した縦断断面図である。また、図４はその発明に係る上部用脚又は下部用脚に対してそのパイプの内部へバネ部材を挿入する状態を示した分解斜視図である。そして、図５は本発明に係る上部用脚と下部用脚とを接続する方法を説明した図である。また、図６には本発明の折り畳み式携帯用テーブルの製品の内部を開いた状態を示した図である。
【００１８】
図１において、（２）は折り畳み可能なテーブルの天板と、該天板（２）の四隅に設けられ金属製のパイプで形成した上部用脚（１１）と該上部用脚（１１）の下方に直列的に連結接続される金属製のパイプで形成した下部用脚（１２）とからなる四対の脚と、該下部用脚（１２）の下端に設けられたゴムキャップ（１３）とを備えた折り畳み式携帯用テーブルの本体（１）を示す。
【００１９】
天板（２）は、略長方形状の二枚の板状部材からなり、該二枚の板状部材は互いに当接させた状態において、ヒンジ（１５）を介して回動自在に連結されている。そして、このような取付状態にある二枚の板状部材は全体的に一枚のテーブルの状態で固定されるので、テーブルとしての機能を十分に果たすことができる。次にこの折り畳み式携帯用テーブル（１）を収納する場合は、ヒンジ（１５）の軸を中心として一方の板状部材を他方の板状部材の下方向に回動させると、これら二枚の板状部材は当接して天板（２）は折り畳まれた状態となる。
【００２０】
次に、上述した天板（２）に取付ける脚部本体は金属製のパイプ状の部材からなっており、その詳細を図５に示したように、上部用脚（１１）と下部用脚（１２）の二つの脚部に分離されている。そして、テーブルの高さを低くする場合は、上部用脚（１１）のみを取付け、またテーブルの高さを高くする場合は上部用脚（１１）の下端部（１１ｂ）に下部用脚（１２）の上端部（１２ａ）を挿入することで、テーブルの高さを継手式に調節できるようにしたものである。そして、上部用脚（１１）の上端部（１１ａ）の下部方向であってその近傍は僅かに湾曲形状（ｆ）をなし、その湾曲形状（ｆ）をなしている背の部分を四対の脚部を互いに天板（２）の内方向に取付けるようにする。このように四対の脚部を互いに天板（２）の内方向に取付けるようにすることで、それぞれの上部用脚（１１）どうしは、天板（２）の裏面に取付けられた取付脚部から互いに湾曲形状（ｆ）の寸法分外方向に広がる状態に取付られるので脚部先端間が広がるのでテーブルとしての安定度が増大される。なお、本発明の一実施例の脚部本体は金属製のパイプ材で形成したが、このパイプ材は金属製に限定するものではなく、他の部材として例えばプラスチックス製等のパイプ材でも使用することができる。
【００２１】
また、このように上端部近傍が湾曲形状（ｆ）に形成されている上部用脚（１１）の下方に直列的に連結接続される下部用脚（１２）は、それぞれ直線状をなして形成されている脚部なので、この二つの脚部、上部用脚（１１）と下部用脚（１２）とを直列的に連結接続することで、下部用脚（１２）の先端間のそれぞれの距離はその脚取付用穴部（７）から互いに広がり離れる距離に置かれるので、テーブルを設置したときの安定度が増すことになり、このように脚部が長くなっても安定状態をもたらすことになる。
【００２２】
次に脚部を構成してる上部用脚（１１）と下部用脚（１２）とを直列的に連結接続して長さを段階的に調整する構造を詳細に説明するが、先に上部用脚（１１）が天板（２）に取付けられる取付方法から説明すると、先ず上部用脚（１１）の先端部近傍には図４に示したように、そのパイプ径が上部用脚（１１）の内径より若干小さい径寸法を外形に合わせた上端部（１１ａ）が形成されている。そして、この上端部（１１ａ）と上部用脚（１１）とは、しぼり部（ｄ）の箇所で段差をつけて形成されていて、上端部（１１ａ）の周囲には長孔（１４）が形成されている。この長孔（１４）は図４に示したように、上端部（１１ａ）の挿入孔（１７）に向けて、くの字状に曲げられたバネ部材（１０）が挿入される。このバネ部材（１０）の挿入方法としては、くの字状の背部（１０ｃ）をバネ部材挿入孔（１７）のパイプ内部に押し入れることで、バネ部材（１０）に形成されている半円形状に張り出した背部（１０ｄ）が長孔（１４）のパイプ内部から外方向に突出させるように設置する。つまり、バネ部材（１０）はその一方の先端部（１０ａ）と他方の先端部（１０ｂ）とは、鋭角なくの字状の背部（１０ｃ）を中心にして全体が曲げられており、その両先端間（１０ａ）、（１０ｂ）の距離はバネ部材挿入孔（１７）の内径寸法より大きめの寸法に設定してあるので、長孔（１４）から突出し半円形状に張り出した背部（１０ｄ）はその両端が長孔（１４）の長さ部分で係止され、バネ部材（１０）はさらに該バネ部材（１０）の自己のバネ圧で上端部（１１ａ）の内周壁（ｅ）に保持されることになる。
【００２３】
以上説明したように、バネ部材（１０）が挿入された上部用脚（１１）の先端近傍に形成した上端部（１１ａ）は、図６に示したように天板（２）の四隅裏面に形成した脚取付用穴（７）に挿入され固定される。
【００２４】
次に、図２および図３を用いてこの上部用脚（１１）が天板（２）の四隅裏面に形成した脚取付用穴部（７）に挿入され固定される構造を説明する。まず、その脚取付用穴部（７）はその内径を上端部（１１ａ）の外径より若干大きい径で形成してあり、さらにその脚取付用穴部（７）の周囲から外方向にバネ部材（１０）の背部（１０ｄ）の少なくともその高さの寸法と同じ寸法の深さで、且つばね部材（１０）の少なくともその太さの径と同じ寸法の幅で長溝（ｈ）が形成されているので、上部用脚（１１）が脚取付用穴部（７）に挿入する際には、バネ部材（１０）の背部（１０ｄ）が長溝（ｈ）の底部に当接させながら挿入され、上部用脚（１１）は上部用脚（１１）のしぼり部（ｄ）の段差の部分が脚取付用穴部（７）の周縁部に当接するまで挿入されて係止される。そして、脚部本体の回転を防止つつ取付位置決めができる。
【００２５】
さらに上述した上部用脚（１１）をテーブルの天板（２）へ取付ける構造をより具体的に説明すると、図２に示したように天板（２）の裏面の隅部（３０）の内方近傍に大きめの支柱（２６）を形成し、その支柱（２６）の周囲近傍所定の位置に小さめの支柱（２５）を形成し配置する。そして、そのように形成された支柱（２５）および（２７）には、その内部の中心に有底状の穴がそれぞれ形成されている。つまり、支柱（２６）に形成する有底状の穴（７）の大きさは上部用脚（１１）の上端部（１１ａ）の外形寸法と同一寸法で形成しておき、支柱（２５）に形成する有底状の穴（ｇ）はネジ（６）が取付できる径の寸法で形成しておく。そして、有底状の穴（７）の内周壁の外方向に切り欠き形成する長溝（ｈ）はその方向を隅部（３０）の方向に向けて設定しておく。
【００２６】
そして、このように有底状の穴をそれぞれに形成した支柱（２５）、（２６）の位置に対応して複数の孔（５）を有した取付板（３）を複数個のネジ（６）で取付ける。つまり、隅部（３０）に形成した取付構造に合わせて形成した脚取付用穴部（７）の断面と略同一形状を有した金属板からなる取付板（３）に形成した取付用孔（５）、（５）…と、支柱（２５）に形成した有底状の穴（８）、（８）…を、また、脚挿入用孔（４）と支柱（２６）の有底状の穴（７）を対応させて取付ける。この際、脚挿入用孔（４）の周囲に形成した切り込み部（ｇ）は長溝（ｈ）に対応させるようにする。このような構造を図６に示したようにそれぞれ天板（２）の四隅（３０）に取付けて、上部用脚（１１）をそれぞれ取付ける。
【００２７】
次に、本発明品の携帯用テーブルを野外で好適に使用するのに脚の長さを長く調整する場合の詳細構造を図５を用いて説明する。図５には、上部用脚（１１）と下部用脚（１２）の二つの脚がそれぞれ記載されているが、この二つの上部用脚（１１）および下部用脚（１２）の先端付近にはそれぞれしぼり部ｄが形成されており、そのしぼり部ｄからその先端までは上部用脚（１１）および下部用脚（１２）のパイプ内径より若干小さい外径で形成されている上端部（１１ａ）、（１２ａ）を有している。そして、さらに該上端部（１１ａ）、（１２ａ）の外周囲には、長孔（１４）がそれぞれ形成されている。そして、また、この長孔（１４）の内部からは前述したようにバネ部材（１０）の背部（１０ｄ）がそれぞれ外方向に突出されている。つまり、前述した上部用脚（１１）の上端部（１１ａ）と下部用脚（１２）の上端部（１２ａ）との形状および寸法は全て同一に形成されている。しかし、下部用脚（１２）には上部用脚（１１）に形成した湾曲形状（ｆ）は形成されていなく直線状をなしている。また、この下部用脚（１２）の下端部（１２ｂ）には、ゴムキャップ（１３）が嵌められており、野外での使用を好適にしている。
【００２８】
このように形成されている上部用脚（１１）と下部用脚（１２）とを直列的に連結接続する場合は、下部用脚（１２）に形成されている上端部（１２ａ）を、上部用脚（１１）の下端部（１１ｂ）内に挿入する。このように挿入することで、下部用脚（１２）はその上端部（１２ａ）の長孔（１４）から突出されているバネ部材（１０）の背部（１０ｄ）のバネ圧力で下端部（１１ｂ）の内部に圧接され保持されることになる。そして、このようにそれぞれの脚を接続して四対の脚を形成する。
【００２９】
なお、この一実施例では上部用脚（１１）と下部用脚（１２）の長さはそれぞれ略等しく形成されているが、この長さは略等しい長さに限られたことでは無い。また、さらに脚を長くしテーブルの高さを高く調節する場合は、上述したこれらの上部用脚（１１）と下部用脚（１２）との間に、両端に前述したようにしぼり形成した差し込み係止部を有した脚部部材を、これらの二つの脚部の間に直列的に介在させて連結接続して高さを変更しても良い。
【００３０】
次に、本発明の一実施例である折り畳み式テーブルによれば、その四対の脚は図６に示したように、天板（２）の裏面の四隅（３０）にはそれぞれ該四隅（３０）の方向に向けて切り込み部（ｇ）を設置した取付板（３）が複数のネジ（６）で取付られている。そして天板（２）はヒンジ（１５）および（１６）を介して二つ折りされる。またそして、この二つ折りされる天板（２）の裏面内にはそれぞれ、椅子（９）が収納され、その外側にそれぞれ形成した脚収納部（２０）内に上部用脚（１１）および下部用脚（１２）が収納されることになる。
【００３１】
【発明の効果】
以上説明してきたように、本発明のテーブル脚の取付構造によれば、その構成を裏面四隅に脚取付用穴部を垂直に形成した天板と、該天板の穴部に着脱自在に挿着される脚部とを有し、脚取付用穴部に隣接して穴の長手方向に延びる案内溝を形成し、該案内溝の一側を脚取付用穴部に開放するとともに、天板の裏面から外方に開放し、前記脚部は、脚取付用穴部に挿入される前記先端部よりも外方に弾力的に突出する弾性係止体を有するとともに弾性係止体よりも下部をく字状に屈曲してなり、弾性係止体を案内溝に係入しつつ脚部を脚取付用穴部に挿着して、４本の脚部が外方に拡開するように天板に取付けたため、脚部が弾性係止体の弾力によって脚取付用穴部内に強固に保持されるので、それぞれ脚部先端間の距離はその脚取付用穴部から互いに広がり離れる距離に置かれるので、テーブルを設置したときの安定度が増すという効果が得られる。
【００３２】
また、前記弾性係止体は脚部内において、その対向する内壁面でその圧力が作用し拡開方向に開くと共に、弾性係止体の突設部が脚部に形成した長孔を挿通し外方向に突出させるようにしたため、バネ部材の装着が容易であり且つ確実に長孔に係止されるので、脚部の脱着をくり返しても外れることがないという効果が得られる。
【００３３】
また、前記脚部本体は上部用脚と下部用脚の二つの脚部に分離されており、テーブルの高さを低くする場合は、上部用脚のみを取付け、またテーブルの高さを高くする場合は上部用脚の下端部に下部用脚の上端部を挿入することで、テーブルの高さを段階的に調節できるようにしたため、特別な工具を使用することなく子供または未経験者でも簡単にその調節を行うことができるという効果が得られる。
【００３４】
また、前記上部用脚の下端部に前記下部用脚の上端部を挿入し係止する手段が、下部用脚の差し込み係止部に設けられ、該差し込み係止部に突設したバネ部材で前記上部用脚の下端部内周壁を圧接保持することで、直列的に連結接続ができるようにしたため、あまり力を要しないで取り外しが容易に行えると言う効果が得られる。
【００３５】
また、前記上部用脚と下部用脚の上端部近傍の差し込み係止部は略同一形状をなして形成することで部品の標準化が図れるようにしたため、部品種類が少ない、製造コストが安価、取付構造とその取付方法を統一することができ、最終的には製品の価格を安価にできるという効果が得られる。
【００３６】
また、前記脚取付用穴部の上から該脚取付用穴部の断面と略同一形状を有した金属板からなる取付板を対応させて取付けたため、脚部の脱着時に起こりがちな脚取付用穴部への損傷を軽減することができるという効果が得られる。
【００３７】
また、前記上部用脚と前記下部用脚との間に、両端に前記差し込み係止部を有したパイプ部材を追加挿入することで、脚長をさらに長くすることができるようにしたため、テーブルの高さを簡単に、且つ段階的に自由に変えることができるという効果が得られる。
【００３８】
また、前記下部用脚の下端部にはゴム製のキャップが装着されているため、屋外での使用時に脚部先端部の損傷等を未然に防ぐことができるという効果が得られる。
【図面の簡単な説明】
【図１】本発明に係る折り畳み式携帯用テーブルの一実施例を示し、テーブルの状態にした斜視図である。
【図２】本発明に係る脚を取付ける取付板を固定する方法を示した分解斜視図である。
【図３】本発明に係る取付脚をテーブルの天板に取付けた状態を示した縦断断面図である。
【図４】発明に係る上部用脚又は下部用脚に対してその内部へバネ部材を挿入する状態を示した分解斜視図である。
【図５】本発明に係る上部用脚と下部用脚とを接続する方法を説明した図である。
【図６】本発明に係る折り畳み式携帯用テーブルの製品の内部を開いた状態を示した図である。
【符号の説明】
（１）　折り畳み式携帯用テーブル
（２）　テーブルの天板
（３）　　取付板
（４）　　脚挿入用孔
（５）　　取付用孔
（７）　　脚取付用穴部
（８）　　取付板固定用孔
（１０）　　バネ部材
（１１）　　上部用脚
（１２）　　下部用脚
（１４）　長孔
（ｄ）　しぼり部
（ｅ）　内周壁
（ｆ）　湾曲形状
（ｇ）　切り込み部
（ｈ）　長溝
【図１】
2004121679.tif 000003
【図２】
2004121679.tif 000004
【図３】
2004121679.tif 000005
【図４】
2004121679.tif 000006
【図５】
2004121679.tif 000007
【図６】
2004121679.tif 000008